(57)【要約】【課題】簡単な操作によって情報に対する処理の権限を設定すること。【解決手段】情報処理装置は、所定情報に関する表示情報と所定の表示領域とを含む表示画面を表示手段に表示する表示制御手段と、ユーザによる操作に応じて表示情報の表示位置を移動する移動手段と、表示領域と表示情報との位置関係に基づいて、所定情報に対する所定処理の権限を設定する権限設定手段と、を備える。【選択図】図２
2015161989.tif 000002
【特許請求の範囲】
【請求項１】
所定情報に関する表示情報と所定の表示領域とを含む表示画面を表示手段に表示する表示制御手段と、
ユーザによる操作に応じて前記表示情報の表示位置を移動する移動手段と、
前記表示領域と前記表示情報との位置関係に基づいて、前記所定情報に対する所定処理の権限を設定する権限設定手段と、
を備えることを特徴とする情報処理装置。
【請求項２】
請求項１に記載の情報処理装置において、
前記権限設定手段は、前記表示情報が前記表示領域内に位置するか否かに応じて、前記所定情報に対する所定処理を許可するか禁止するかを設定することを特徴とする情報処理装置。
【請求項３】
請求項１に記載の情報処理装置において、
前記権限設定手段は、前記表示領域と前記表示情報との間の距離に応じて、前記所定情報に対する所定処理の権限を設定することを特徴とする情報処理装置。
【請求項４】
請求項１〜３のいずれか一項に記載の情報処理装置において、
前記移動手段は、所定の複数のユーザによる協調操作に応じて、前記表示情報の表示位置を移動することを特徴とする情報処理装置。
【請求項５】
請求項１〜４のいずれか一項に記載の情報処理装置において、
前記移動手段は、ユーザにより前記表示情報を前記表示領域内から前記表示領域外へ移動する移動操作が行われた場合に、前記表示情報を前記表示領域の境界まで移動させた後前記表示領域の内側へ向かう方向に移動させ、前記ユーザにより再度前記移動操作が行われた場合に、前記表示情報を前記表示領域内から前記表示領域外へ移動することを特徴とする情報処理装置。
【請求項６】
所定情報に関する表示情報と所定の表示領域とを含む表示画面を表示手段に表示する表示制御処理と、
ユーザによる操作に応じて前記表示情報の表示位置を移動する移動処理と、
前記表示領域と前記表示情報との位置関係に基づいて、前記所定情報に対する所定処理の権限を設定する権限設定処理と、
をコンピュータに実行させることを特徴とする情報処理プログラム。
【請求項７】
情報表示装置と、
前記情報表示装置に所定情報を送信する端末装置と、
を備え、
前記情報表示装置は、
前記所定情報に関する表示情報と所定の表示領域とを含む第１の表示画面を第１の表示手段に表示する第１の表示制御手段と、
前記表示領域と前記表示情報との位置関係に基づいて、前記所定情報に対する所定処理の権限を設定する権限設定手段と、
を有し、
前記端末装置は、
前記表示情報と前記表示領域とを含む第２の表示画面を第２の表示手段に表示する第２の表示制御手段と、
ユーザによる操作に応じて、前記第２の表示画面において前記表示情報の表示位置を移動する移動手段と、
前記移動手段による前記表示情報の表示位置の移動を表す移動情報を前記情報表示装置に送信する送信手段と、
を有し、
前記第１の表示制御手段は、前記端末装置から送信された前記移動情報に基づいて前記表示情報の表示位置が移動された前記第１の表示画面を前記第１の表示手段に表示することを特徴とする情報表示システム。
【請求項８】
請求項７に記載の情報表示システムにおいて、
前記第１の表示画面および前記第２の表示画面は、前記表示情報と第１の表示領域と第２の表示領域とを含み、
前記移動手段は、ユーザによる操作に応じて、前記第２の表示画面において前記表示情報を前記第１の表示領域内または前記第２の表示領域内に移動し、
前記送信手段は、前記表示情報が前記第１の表示領域内または前記第２の表示領域内に移動されたことを表す移動情報を前記情報表示装置に送信し、
前記第１の表示制御手段は、前記移動情報に基づいて、前記表示情報が前記第１の表示領域内または前記第２の表示領域内に移動された前記第１の表示画面を前記第１の表示手段に表示し、
前記権限設定手段は、前記表示情報が前記第１の表示領域内に位置する場合に、前記所定情報に対する所定処理を許可し、前記表示情報が前記第２の表示領域内に位置する場合に、前記所定情報に対する所定処理を禁止することを特徴とする情報表示システム。
【請求項９】
請求項７または８に記載の情報表示システムにおいて、
前記第２の表示画面は、前記第１の表示画面と同一の内容を表示する表示画面であることを特徴とする情報表示システム。
【発明の詳細な説明】
【技術分野】
【０００１】
本発明は、情報処理装置、情報処理プログラムおよび情報表示システムに関する。
【背景技術】
【０００２】
装置からユーザへ情報提供するだけでなく、ユーザから装置へ情報をアップロードすることが可能で、さらに複数のユーザ同士がそれらの情報をやり取りできるような、ソーシャルネット型のコミュニケーションツール、あるいは会議ツールなどが考案されている。たとえば、複数のユーザ同士が自身の端末装置を用いて情報をやり取り可能な電子会議システムが知られている（特許文献１参照）。
【先行技術文献】
【特許文献】
【０００３】
【特許文献１】特開２００６−１９５６６８号公報
【発明の概要】
【発明が解決しようとする課題】
【０００４】
しかしながら、上記先行技術では、意図しないユーザに情報を複製されたり、加工（改ざん）されたりするといった問題がある。このような問題に対応するため、ユーザが情報に対する処理の権限を設定することが考えられるが、ユーザの操作が複雑化してしまうという問題があった。
【課題を解決するための手段】
【０００５】
（１）請求項１に記載の情報処理装置は、所定情報に関する表示情報と所定の表示領域とを含む表示画面を表示手段に表示する表示制御手段と、ユーザによる操作に応じて表示情報の表示位置を移動する移動手段と、表示領域と表示情報との位置関係に基づいて、所定情報に対する所定処理の権限を設定する権限設定手段と、を備えることを特徴とする。
（２）請求項６に記載の情報処理プログラムは、所定情報に関する表示情報と所定の表示領域とを含む表示画面を表示手段に表示する表示制御処理と、ユーザによる操作に応じて表示情報の表示位置を移動する移動処理と、表示領域と表示情報との位置関係に基づいて、所定情報に対する所定処理の権限を設定する権限設定処理と、をコンピュータに実行させることを特徴とする。
（３）請求項７に記載の情報表示システムは、情報表示装置と、情報表示装置に所定情報を送信する端末装置と、を備え、情報表示装置は、所定情報に関する表示情報と所定の表示領域とを含む第１の表示画面を第１の表示手段に表示する第１の表示制御手段と、表示領域と表示情報との位置関係に基づいて、所定情報に対する所定処理の権限を設定する権限設定手段と、を有し、端末装置は、表示情報と表示領域とを含む第２の表示画面を第２の表示手段に表示する第２の表示制御手段と、ユーザによる操作に応じて、第２の表示画面において表示情報の表示位置を移動する移動手段と、移動手段による表示情報の表示位置の移動を表す移動情報を情報表示装置に送信する送信手段と、を有し、第１の表示制御手段は、端末装置から送信された移動情報に基づいて表示情報の表示位置が移動された第１の表示画面を第１の表示手段に表示することを特徴とする。
【発明の効果】
【０００６】
本発明によれば、簡単な操作によって情報に対する処理の権限を設定することができる。
【図面の簡単な説明】
【０００７】
【図１】情報表示システムの構成を説明する図である。
【図２】情報表示装置および端末装置の構成を説明する図である。
【図３】情報表示装置の表示画面の一例を示す図である。
【図４】端末装置の表示画面の一例を示す図である。
【図５】画像をアップロードする操作を説明する図である。
【図６】アップロード画像に対応するサムネイル画像の表示を説明する図である。
【図７】アップロード画像に対応するサムネイル画像の表示を説明する図である。
【図８】サムネイル画像の表示位置の移動操作を説明する図である。
【図９】アップロード動作の流れを説明するフローチャートである。
【図１０】第２の実施の形態において、ユーザ通知ダイアログを説明する図である。
【図１１】第２の実施の形態において、アップロード情報の提供者の端末装置の表示画面の一例である。
【図１２】第２の実施の形態において、アップロード情報の提供者により設定されたユーザの端末装置の表示画面の一例である。
【図１３】第２の実施の形態において、情報の編集および複製の許可をコントロールする権限を与える操作を説明する図である。
【図１４】変形例３において、サムネイル画像の表示位置の移動操作を説明する図である。
【発明を実施するための形態】
【０００８】
以下、図面を参照して本発明を実施するための形態について説明する。
−第１の実施の形態−
（情報表示システムの構成）
図１は、本発明の第１の実施の形態による情報表示システム１の全体構成を説明する図である。情報表示システム１は、情報表示装置１０と、情報表示装置１０に各種情報を送信する複数の端末装置２０と、を有する。
【０００９】
情報表示装置１０は、比較的大型のディスプレイ１０２を有し、複数のユーザが同時にディスプレイ１０２を閲覧可能に構成されたパブリックな装置である。ここで、パブリックな装置とは、複数のユーザが同時に別々のあるいは同じ目的をもって情報表示装置１０を使用可能であるという意味である。したがって、情報表示装置１０では、いわゆる一般的なパーソナルコンピュータのＯＳ（Operating System）で見られるような、複数のユーザがログインアカウントを持ち、これを切り替えながら１台の装置をシェアする使用感とは異なった使用感をユーザに与える。たとえば、情報表示装置１０は、実世界で使っているピンボードやコルクボード、掲示板のような使用感をデジタル技術で実現したものであるとも言える。情報表示装置１０は、たとえば駅や公共施設などに設置され、不特定多数のユーザに使用されるようにしてもよいし、たとえば学校や会社などに設置され、ある特定の複数ユーザに使用されるようにしてもよい。
【００１０】
端末装置２０は、ユーザが持ち運び可能な携帯型の情報端末であり、たとえば、携帯電話やスマートフォン、タブレットコンピュータ、通信機能を備えたカメラなどである。パブリックな装置である情報表示装置１０に対して、端末装置２０は、これを所有するユーザのみが使用可能なプライベートな装置とも言える。端末装置２０は、無線通信により、直接、あるいはアクセスポイントやネットワークなどを介して情報表示装置１０と接続される。各ユーザは、自身の所有する端末装置２０を用いて、画像やメッセージなどの情報を情報表示装置１０に送信し、送信した情報に関する表示情報を情報表示装置１０のディスプレイ１０２上の所望の位置に表示させることができるようになっている。
【００１１】
（情報表示装置１０の構成）
図２は、情報表示装置１０および端末装置２０の構成を例示するブロック図である。情報表示装置１０は、制御部１０１と、ディスプレイ１０２と、ディスプレイドライバ１０３と、タッチセンサ１０４と、Ｉ／Ｆ（インターフェース）ドライバ１０５と、カメラ部１０６とを備える。さらに情報表示装置１０は、メモリ１０７と、バッテリ１０８と、電源コントローラ１０９と、無線送受信部１１０と、無線通信ドライバ１１１とを有する。
【００１２】
制御部１０１は、情報表示装置１０の各部を制御する電子回路であり、ＣＰＵとその周辺回路とから構成される。制御部１０１は、メモリ１０７に記憶された制御プログラムを読み込んで実行することにより、各部の制御を行ったり、後述する各種処理を実行したりする。
【００１３】
ディスプレイ１０２は、比較的大型のディスプレイであり、複数のユーザが同時にディスプレイ１０２を閲覧可能に構成されている。ディスプレイドライバ１０３は、制御部１０１からの指示に応じて各種画面をディスプレイ１０２に表示するための制御を行う。
【００１４】
タッチセンサ１０４は、ディスプレイ１０２の表示面に積層されており、ユーザの指などが接触した接触位置を検出する。Ｉ／Ｆドライバ１０５は、タッチセンサ１０４により検出された接触位置を示す信号を制御部１０１に出力する。
【００１５】
カメラ部１０６は、不図示の撮影光学系および撮像素子を含み、制御部１０１からの指示に応じて、撮影光学系により結像された被写体像を撮像して、撮影画像を出力する。
【００１６】
メモリ１０７は、たとえばフラッシュメモリなどの不揮発性メモリであり、各種データが記憶されている。電源コントローラ１０９は、バッテリ１０８の電圧を情報表示装置１０内の各部で必要な電圧に変換して各部へ供給する。無線送受信部１１０は、無線通信ドライバ１１１の制御のもと、無線通信により、直接、あるいはアクセスポイントやネットワークなどを介して、端末装置２０とデータ通信を行う。
【００１７】
（端末装置２０の構成）
端末装置２０は、制御部２０１と、端末表示部２０２と、ディスプレイドライバ２０３と、タッチセンサ２０４と、Ｉ／Ｆ（インターフェース）ドライバ２０５と、カメラ部２０６とを備える。さらに端末装置２０は、メモリ２０７と、バッテリ２０８と、電源コントローラ２０９と、無線送受信部２１０と、無線通信ドライバ２１１とを有する。
【００１８】
制御部２０１は、端末装置２０の各部を制御する電子回路であり、ＣＰＵとその周辺回路とから構成される。制御部２０１は、メモリ２０７に記憶された制御プログラムを読み込んで実行することにより、各部の制御を行ったり、後述する各種処理を実行したりする。
【００１９】
端末表示部２０２は、例えば液晶ディスプレイなどの表示装置であり、各種画面を表示する。ディスプレイドライバ２０３は、制御部２０１からの指示に応じて各種画面を端末表示部２０２に表示するための制御を行う。
【００２０】
タッチセンサ２０４は、端末表示部２０２の表示面に積層されており、ユーザの指などが接触した接触位置を検出する。Ｉ／Ｆドライバ２０５は、タッチセンサ２０４により検出された接触位置を示す信号を制御部２０１に出力する。
【００２１】
カメラ部２０６は、不図示の撮影光学系および撮像素子を含み、制御部２０１からの指示に応じて、撮影光学系により結像された被写体像を撮像して、撮影画像を出力する。
【００２２】
メモリ２０７は、たとえばフラッシュメモリなどの不揮発性メモリであり、各種データが記憶されている。電源コントローラ２０９は、バッテリ２０８の電圧を端末装置２０内の各部で必要な電圧に変換して各部へ供給する。無線送受信部２１０は、無線通信ドライバ２１１の制御のもと、無線通信により、直接、あるいはアクセスポイントやネットワークなどを介して、情報表示装置１０とデータ通信を行う。
【００２３】
なお、以上に説明した端末装置２０の構成は一例である。本実施の形態における端末装置２０は、複数のユーザがそれぞれ所有するものであり、図２に図示したものとは異なる構成のものを含む。
【００２４】
（情報表示システムの利用方法）
次に、情報表示システム１の利用方法を説明する。図３は、情報表示装置１０のディスプレイ１０２に表示される表示画面の一例を示す図である。各ユーザは、自身の所有する端末装置２０を用いて、自身が撮影した写真画像を情報表示装置１０にアップロードし、ディスプレイ１０２の表示画面内の所望の位置に、アップロードした写真画像に対応するサムネイル画像Ｐｉを表示させることができる。
【００２５】
また、たとえば、各ユーザは、自身の所有する端末装置２０を用いて、自身が作成したメッセージを情報表示装置１０に送信し、ディスプレイ１０２の表示画面内の所望の位置に送信したメッセージを提示するメッセージダイアログＭｄを表示させることができる。なお、各ユーザは、情報表示装置１０のタッチセンサ１０４を介して情報表示装置１０に直接メッセージを入力することも可能である。この場合、情報表示装置１０は、ソフトウェアキーによる入力に応じてメッセージをテキストデータとして取得してもよいし、手書き入力に応じてメッセージをベクタデータとして取得するようにしてもよい。
【００２６】
また、ユーザは、自身の所有する端末装置２０を用いて、メッセージの音声データを情報表示装置１０に送信するようにしてもよい。この場合、情報表示装置１０は、クリックされると上記メッセージの音声データを再生するクリッカブルなボイスメモアイコンＶｍをディスプレイ１０２に表示させる。情報表示装置１０では、タッチセンサ１０４を介してボイスメモアイコンＶｍがタップされると、ボイスメモアイコンＶｍに対応付けられた音声データを再生して、不図示のスピーカから出力させる。
【００２７】
さらに、上述した例とは逆に、各ユーザは、自身の所有する端末装置２０に、情報表示装置１０のディスプレイ１０２に表示されているサムネイル画像Ｐｉに対応する写真画像をダウンロードしたり、メッセージダイアログＭｄが提示するメッセージを受信したりすることもできるようになっている。
【００２８】
上記の例において、端末装置２０による情報のアップロードやダウンロード、メッセージの送受信におけるユーザ認証は、直感的な操作感を与えるために情報表示装置１０と端末装置２０とを接触させることで行ってもよい。この場合、たとえば、情報表示装置１０と端末装置２０とが接触した衝撃が情報表示装置１０の角速度センサと端末装置２０の角速度センサとで同時に検出されることにより、情報表示装置１０と端末装置２０との接触を検出する。また、ユーザ認証は、一般的な装置間通信と同様に、端末装置２０の固有ＩＤとユーザのアカウント情報とを用いて行ってもよい。このようなユーザ認証の方式については様々な既存技術があるため詳細な説明は割愛する。
【００２９】
また、情報表示装置１０のディスプレイ１０２の表示画面の下部には、横長矩形状のテンポラリエリアＡｔが設定されている。この表示画面においてテンポラリエリアＡｔ外のエリアはフリーエリアＡｆとして設定されている。なお、ディスプレイ１０２には、テンポラリエリアＡｔを表す枠がたとえば点線などで表示されてもよいし、表示されなくてもよい。テンポラリエリアＡｔ内に表示されている表示情報（たとえばサムネイル画像Ｐｉ）に対応する情報（たとえば写真画像）については、閲覧のみが許可され、複製および編集は禁止される。一方、テンポラリエリアＡｔ外、すなわちフリーエリアＡｆ内に表示されている情報については、ユーザに対して、閲覧だけでなく、編集および複製も許可される。なお、ここでの「閲覧」とは情報表示装置１０のディスプレイ１０２上でのみ見ることができるという意味である。端末装置２０が情報表示装置１０から情報を取得して端末装置２０の端末表示部２０２上で情報を見る場合には、情報表示装置１０から端末装置２０への情報の「複製」処理が含まれる。また、情報の「編集」処理は、情報表示装置１０上で行われてもよいし、端末装置２０上で行われてもよい。
【００３０】
（情報のアップロード）
次に、端末装置２０から情報表示装置１０に情報をアップロードする動作について説明する。ここでは、ユーザＡが自身の所有する端末装置２０で撮影した写真画像を情報表示装置１０にアップロードする場合を一例として説明する。なお、以下では写真画像をアップロードする場合を例に説明するが、この他の情報（たとえばメッセージや音声などの各種情報）をアップロードする場合も同様である。
【００３１】
まず、ユーザＡは、情報表示システム１に情報をアップロードするための所定のアプリケーションプログラム（以下、アップロード用アプリと表記する）の起動を端末装置２０に指示する。すると、端末装置２０の制御部２０１は、アップロード用アプリを起動して、図４に示すように、端末表示部２０２に、情報をアップロードするためのアップロード用ウィンドウＷａと、アップロードする写真画像を選択するための画像選択ウィンドウＷｐとを表示する。アップロード用ウィンドウＷａは、端末表示部２０２の表示画面の上部分に表示され、画像選択ウィンドウＷｐは、表示画面の下部分に表示される。
【００３２】
アップロード用ウィンドウＷａには、情報表示装置１０のディスプレイ１０２に現在表示されている表示画面と同一の内容を表示する（すなわち情報表示装置１０の表示画面を共有するための）共有画面Ｄｐが表示される。なお、ここでの「同一」とは、ディスプレイ１０２の表示画面と共有画面Ｄｐとが完全に同一であることを意味するのではなく、それぞれ異なる内容も表示されていてもよいが、少なくとも一部の内容が同一であることを意味する。具体的には、共有画面Ｄｐでは、情報表示装置１０の表示画面と同様に、その下部にテンポラリエリアＡｔが設定されており、テンポラリエリアＡｔ外の領域がフリーエリアＡｆとして設定されている。また、共有画面Ｄｐには、情報表示装置１０に表示されているサムネイル画像ＰｉやメッセージダイアログＭｄ、ボイスメモアイコンＶｍなども表示される。
【００３３】
画像選択ウィンドウＷｐには、端末装置２０のメモリ２０７内に記憶されている複数枚の写真画像にそれぞれ対応するサムネイル画像Ｐｃ１〜Ｐｃ９がたとえば３×３のマトリクス状に並んで表示される。
【００３４】
ユーザＡは、アップロード画像としてサムネイル画像Ｐｃ２に対応する写真画像を選ぶ場合、図５に示すように、画像選択ウィンドウＷｐからアップロード用ウィンドウＷａへサムネイル画像Ｐｃ２をドラッグアンドドロップする。すると、端末装置２０の制御部２０１は、サムネイル画像Ｐｃ２に対応する写真画像のデータを、無線送受信部２１０を用いて情報表示装置１０に送信する。
【００３５】
情報表示装置１０の制御部１０１は、図６に示すように、端末装置２０から送信された写真画像に対応するサムネイル画像Ｐｃ２を、ディスプレイ１０２の表示画面のテンポラリエリアＡｔ内に表示させる。また、情報表示装置１０と端末装置２０とは互いに通信を行い、情報表示装置１０のディスプレイ１０２の表示画面と端末装置２０の共有画面Ｄｐとを連動させるようになっている。したがって、端末装置２０の制御部２０１は、図７に示すように、端末表示部２０２に表示された共有画面ＤｐのテンポラリエリアＡｔ内に、サムネイル画像Ｐｃ２を表示させる。なお、本実施形態では、上記アップロード用ウィンドウＷａ内で上記サムネイル画像Ｐｃ２がドロップされた箇所によらず、サムネイル画像Ｐｃ２はまずテンポラリエリアＡｔ内に表示されるようになっている。
【００３６】
ユーザＡはサムネイル画像Ｐｃ２に対応する写真画像の閲覧のみ許可したい場合、サムネイル画像Ｐｃ２をテンポラリエリアＡｔ内に表示させたままとする。この場合、情報表示装置１０の制御部１０１は、ディスプレイ１０２においてサムネイル画像Ｐｃ２がテンポラリエリアＡｔ内に表示されていることにより、サムネイル画像Ｐｃ２に対応する写真画像の閲覧のみを許可し、編集および複製を禁止する。
【００３７】
一方、ユーザＡがサムネイル画像Ｐｃ２に対応する写真画像の閲覧だけでなく編集および複製も許可したい場合は、サムネイル画像Ｐｃ２をテンポラリエリアＡｔ外（すなわちフリーエリアＡｆ内）へ移動する操作を行う。このとき、情報表示装置１０のディスプレイ１０２の表示画面と端末装置２０の端末表示部２０２に表示された共有画面Ｄｐは連動しているため、ユーザＡは、情報表示装置１０上ではなく、端末装置２０上で上記操作を行うことができる。すなわち、ユーザＡは、図８に示すように、端末装置２０の共有画面Ｄｐ上でテンポラリエリアＡｔ内のサムネイル画像Ｐｃ２をテンポラリエリアＡｔ外（すなわちフリーエリアＡｆ）内へドラッグアンドドロップする。すると、情報表示装置１０のディスプレイ１０２の表示画面上においてサムネイル画像Ｐｃ２がテンポラリエリアＡｔ外へ移動される。情報表示装置１０の制御部１０１は、サムネイル画像Ｐｃ２がテンポラリエリアＡｔ外に表示されていることにより、サムネイル画像Ｐｃ２に対応する写真画像の閲覧、編集および複製を許可する。
【００３８】
なお、ユーザＡは、一旦テンポラリエリアＡｔ外へ移動させたサムネイル画像Ｐｃ２を再度テンポラリエリアＡｔ内に戻すこともできるようになっている。
【００３９】
また、本実施の形態では、サムネイル画像Ｐｃ２に対応する写真画像の提供者であるユーザＡのみに、上記サムネイル画像Ｐｃ２の表示位置を移動する権限、すなわちサムネイル画像Ｐｃ２に対応する写真画像の編集および複製の許可をコントロールする権限が与えられる。したがって、情報処理装置１０の制御部１０１は、ユーザＡによる操作に応じてのみ、サムネイル画像Ｐｃ２の表示位置を移動する。そのため、ユーザＡ以外のユーザは、サムネイル画像Ｐｃ２の表示位置を移動することはできず、サムネイル画像Ｐｃ２に対応する写真画像の編集および複製の許可をコントロールすることはできない。
【００４０】
（フローチャート）
次に、上述した情報をアップロードする動作の流れを図９に示すフローチャートを用いて説明する。図９の左側には、端末装置２０の制御部２０１が実行する処理を、図９の右側には、情報表示装置１０の制御部１０１が実行する処理を、それぞれ示す。
【００４１】
端末装置２０は、ユーザの操作に応じて、アップロード用アプリを起動すると、ステップＳ１０１において、情報表示装置１０に対し、情報表示装置１０のディスプレイ１０２に表示された表示画面に関する画面情報のリクエストを行う。ステップＳ２０１において、情報表示装置１０は、上記リクエストを受信すると、ステップＳ２０２において上記リクエストに応じて端末装置２０へ上記画面情報を送信する。
【００４２】
ステップＳ１０２において、端末装置２０は、情報表示装置１０から送信された上記画面情報を受信すると、ステップＳ１０３において、上記画面情報に基づいて共有画面Ｄｐを生成し、共有画面Ｄｐを含むアップロード用ウィンドウＷａを端末表示部２０２に表示する。また、端末装置２０は、アップロード用ウィンドウＷａの下側に画像選択ウィンドウＷｐを表示する。
【００４３】
ステップＳ１０４において、端末装置２０は、画像選択ウィンドウＷｐからアップロード用ウィンドウＷａへサムネイル画像がドラッグアンドドロップされたか否かを判定する。端末装置２０は、サムネイル画像がドラッグアンドドロップされた場合にステップＳ１０４を肯定判定してステップＳ１０５へ進み、サムネイル画像がドラッグアンドドロップされない場合には、ステップＳ１０４を否定判定してステップＳ１０４の処理を繰り返す。
【００４４】
ステップＳ１０５において、端末装置２０は、ステップＳ１０４でドラッグされたサムネイル画像に対応する写真画像のデータを、無線送受信部２１０を介して情報表示装置１０に送信する。
【００４５】
ステップＳ２０３において、情報表示装置１０は、端末装置２０から写真画像のデータを受信すると、ステップＳ２０４において、当該写真画像に対応するサムネイル画像を、ディスプレイ１０２の表示画面のテンポラリエリアＡｔ内に表示する。
【００４６】
ステップＳ２０５において、情報表示装置１０は、サムネイル画像Ｐｃ２がテンポラリエリアＡｔ内に表示されていることにより、サムネイル画像Ｐｃ２に対応する写真画像の閲覧のみを許可し、編集および複製を禁止する。
【００４７】
また、ステップＳ１０６において、端末装置２０は、端末表示部２０２に表示された共有画面Ｄｐにおいて写真画像に対応するサムネイル画像をテンポラリエリアＡｔ内に表示する。
【００４８】
ステップＳ１０７において、端末装置２０は、タッチセンサ２０４を介して、サムネイル画像をテンポラリエリアＡｔ外へ（すなわちフリーエリアＡｆ内へ）移動するドラッグアンドドロップが行われたか否かを判定する。端末装置２０は、サムネイル画像に対して上記ドラッグアンドドロップが行われた場合にステップＳ１０７を肯定判定してステップＳ１０８へ進み、サムネイル画像に対して上記ドラッグアンドドロップが行われない場合には、ステップＳ１０７を否定判定して図９の処理を終了する。
【００４９】
ステップＳ１０８において、端末装置２０は、ステップＳ１０６のドラッグアンドドロップに応じて共有画面Ｄｐ上でサムネイル画像をテンポラリエリアＡｔ外の位置へ移動すると共に、サムネイル画像がテンポラリエリアＡｔ外の位置へ移動されたことを示す移動情報を情報表示装置１０に送信し、図９の処理を終了する。
【００５０】
また、ステップＳ２０６において、情報表示装置１０は、端末装置２０からの上記移動情報を受信したか否かを判定する。情報表示装置１０は、上記移動情報を受信した場合にステップＳ２０６を肯定判定してステップＳ２０７へ進み、上記移動情報を受信しなかった場合にはステップＳ２０６を否定判定して図９の処理を終了する。
【００５１】
ステップＳ２０６において、情報表示装置１０は、上記移動情報に基づいてサムネイル画像をテンポラリエリアＡｔ内からテンポラリエリアＡｔ外の位置へ移動させた表示画面をディスプレイ１０２に表示する。
【００５２】
ステップＳ２０７において、情報表示装置１０は、サムネイル画像Ｐｃ２がテンポラリエリアＡｔ外（すなわちフリーエリアＡｆ内）に表示されていることにより、サムネイル画像Ｐｃ２に対応する写真画像の閲覧、編集および複製を許可し、図９の処理を終了する。
【００５３】
以上説明した第１の実施の形態によれば、次の作用効果が得られる。
（１）情報表示装置１０の制御部１０１は、端末装置２０からアップロードされたアップロード情報（たとえば写真画像）に関する表示情報（たとえばサムネイル画像）をディスプレイ１０２の表示画面に表示する。情報表示装置１０では、端末装置２０上でのユーザ操作に応じて、ディスプレイ１０２の表示画面上での表示情報の表示位置が移動される。情報表示装置１０の制御部１０１は、テンポラリエリアＡｔと表示情報との位置関係に基づいてアップロード情報に対する編集および複製処理の権限を設定する。具体的には、情報表示装置１０の制御部１０１は、表示情報がテンポラリエリアＡｔ内に位置するか否かに応じて、アップロード情報に対する編集および複製処理を許可するか禁止するかを制御する。このような構成により、表示情報の表示位置を移動させるといった簡単な操作によって、アップロード情報に対する所定処理の権限を設定することができる。
【００５４】
（２）端末装置２０の端末表示部２０２に表示される共有画面Ｄｐは、情報表示装置１０のディスプレイ１０２の表示画面と同一の内容を表示する。これにより、ユーザは、自身の端末装置２０によって、情報表示装置１０の表示画面に対する操作を行うことができる。
【００５５】
（３）端末装置２０の端末表示部２０２では、共有画面Ｄｐの下部にテンポラリエリアＡｔが設定され、テンポラリエリアＡｔの下側に、アップロードする写真画像に対応するサムネイル画像が表示される画像選択ウィンドウＷｐが表示される。したがって、画像選択ウィンドウＷｐに表示されたサムネイル画像が下側の画像選択ウィンドウＷｐから上のテンポラリエリアＡｔ内へ移動することによって、情報表示装置１０での写真画像の閲覧が許可され、さらにテンポラリエリアＡｔ内から上側のフリーエリアＡｆ内へ移動することによって、写真画像の閲覧だけでなく編集および複製が許可される。このようにサムネイル画像が画像選択ウィンドウＷａから、テンポラリエリアＡｔ、フリーエリアＡｆへと下から上へ移動するに従って、サムネイル画像に対応する写真画像に対して許可される処理が増えるようになっているので、ユーザにとって直感的でわかりやすい。
【００５６】
−第２の実施の形態−
次に、第２の実施の形態について説明する。第１の実施の形態では、アップロードされた情報の編集および複製の許可を情報の提供者であるユーザのみがコントロール可能である例について説明した。しかしながら、情報の編集および複製の許可のコントロールを、一人のユーザが行うのではなく複数のユーザによって行いたいケースがある。そこで、第２の実施の形態では、情報の提供者であるユーザ（すなわち情報を情報表示装置１０にアップロードする端末装置２０のユーザ）の操作に応じて、他のユーザに対してその情報の編集および複製の許可をコントロールする権限が与えられる。以下、この点を中心に説明する。なお、第２の実施の形態において、情報表示システム１の構成（図１）や情報表示装置１０および端末装置２０の構成（図２）、情報表示装置１０の表示画面（図３）は第１の実施の形態と同様であるため、説明を省略する。
【００５７】
（情報のアップロード）
第２の実施の形態において、端末装置２０から情報表示装置１０に情報をアップロードする動作について説明する。ここでは、ユーザＡが自身の所有する端末装置２０で撮影した写真画像を情報表示装置１０にアップロードする場合を一例として説明する。なお、以下では写真画像をアップロードする場合を例に説明するが、この他の情報（たとえばメッセージや音声データなど各種ファイル）をアップロードする場合も同様である。
【００５８】
まず、ユーザＡは、端末装置２０に対してアップロード用アプリの起動を指示する。すると、ユーザＡの端末装置２０は、アップロード用アプリを起動して、図１０に示すように、端末表示部２０２の表示画面にアップロード用ウィンドウＷａおよび画像選択ウィンドウＷｐを表示する。アップロード用ウィンドウＷａおよび画像選択ウィンドウＷｐは第１の実施の形態と略同じであり、異なっている点は、アップロード用ウィンドウＷａの共有画面Ｄｐの上側に、他のユーザ（ここではユーザＢ）の存在を通知するユーザ通知ダイアログＤｕが表示される点である。
【００５９】
ユーザＡは、ユーザＢに対して、ユーザＡがアップロードする情報の編集および複製の許可をコントロールする権限を与える場合には、ユーザ通知ダイアログＤｕをタップする。すると、ユーザＢの端末装置２０は、アップロード用アプリを起動して、ユーザＡの端末装置２０の端末表示部２０２に現在表示されている表示画面と略同一の表示画面を端末表示部２０２に表示する。このときのユーザＡの端末装置２０の表示画面を図１１に示し、ユーザＢの端末装置２０の表示画面を図１２に示す。図１１に示すように、ユーザＡの端末装置２０に表示されるアップロード用ウィンドウＷａ上に、ユーザＢの端末装置２０が、ユーザＡの端末装置２０と同一の表示画面を表示していることを示す共有ダイアログＫａが表示される。また、図１２に示すように、ユーザＢの端末装置２０に表示されるアップロード用ウィンドウＷａ上に、ユーザＢの端末装置２０がユーザＡの端末装置２０と同一の表示画面を表示していることを示す共有ダイアログＫｂが表示される。このように、ユーザＡの端末装置２０とユーザＢの端末装置２０とで表示画面が共有される。なお、ユーザＡの端末装置２０に表示されている画像選択ウィンドウＷｐは、ユーザＢの端末装置２０に表示されるが、画像選択ウィンドウＷｐに対して操作を行うことができない非アクティブ状態として取り扱われる。
【００６０】
ユーザＡは、アップロード画像としてサムネイル画像Ｐｃ２に対応する写真画像を選ぶ場合、画像選択ウィンドウＷｐからアップロード用ウィンドウＷａへサムネイル画像Ｐｃ２をドラッグアンドドロップする。すると、ユーザＡの端末装置２０は、サムネイル画像Ｐｃ２に対応する写真画像のデータを、無線送受信部２１０を用いて情報表示装置１０に送信する。
【００６１】
情報表示装置１０の制御部１０１は、図６で例示した場合と同様に、端末装置２０から送信された写真画像に対応するサムネイル画像Ｐｃ２を、ディスプレイ１０２の表示画面のテンポラリエリアＡｔ内に表示させる。また、情報表示装置１０とユーザＡの端末装置２０とユーザＢの端末装置２０とは互いに通信を行い、情報表示装置１０のディスプレイ１０２の表示画面とユーザＡの端末装置２０およびユーザＢの端末装置２０の共有画面Ｄｐとを連動させるようになっている。したがって、ユーザＡの端末装置２０およびユーザＢの端末装置２０は、それぞれ、端末表示部２０２に表示された共有画面ＤｐのテンポラリエリアＡｔ内にサムネイル画像Ｐｃ２を表示させる。
【００６２】
ユーザＡおよびユーザＢはサムネイル画像Ｐｃ２に対応する写真画像の閲覧のみ許可したい場合、サムネイル画像Ｐｃ２をテンポラリエリアＡｔ内に表示させたままとする。この場合、情報表示装置１０の制御部１０１は、ディスプレイ１０２においてサムネイル画像Ｐｃ２がテンポラリエリアＡｔ内に表示されていることにより、サムネイル画像Ｐｃ２に対応する写真画像の閲覧のみを許可し、編集および複製を禁止する。
【００６３】
一方、ユーザＡまたはユーザＢがサムネイル画像Ｐｃ２に対応する写真画像の閲覧だけでなく編集および複製も許可したい場合は、サムネイル画像Ｐｃ２をテンポラリエリアＡｔ外（すなわちフリーエリアＡｆ内）へ移動する操作を行う。この操作は、ユーザＡおよびユーザＢともに単独で行うことが可能となっている。このとき、情報表示装置１０のディスプレイ１０２の表示画面とユーザＡの端末装置２０およびユーザＢの端末装置２０の共有画面Ｄｐとを連動しているため、ユーザＡおよびユーザＢは、情報表示装置１０上ではなく、それぞれの端末装置２０上で上記操作を行うことができる。すなわち、ユーザＡまたはユーザＢは、端末装置２０においてテンポラリエリアＡｔ内に表示されているサムネイル画像Ｐｃ２をテンポラリエリアＡｔ外へドラッグアンドドロップする。すると、情報表示装置１０のディスプレイ１０２の表示画面上においてサムネイル画像Ｐｃ２がテンポラリエリアＡｔ外へ移動される。情報表示装置１０の制御部１０１は、サムネイル画像Ｐｃ２がテンポラリエリアＡｔ外に表示されていることにより、サムネイル画像Ｐｃ２に対応する写真画像の閲覧、編集および複製を許可する。
【００６４】
このように第２の実施の形態では、サムネイル画像Ｐｃ２に対応する写真画像の提供者であるユーザＡと、ユーザＡによって設定されたユーザＢのみに、上記サムネイル画像Ｐｃ２の表示位置を移動する権限、すなわちサムネイル画像Ｐｃ２に対応する写真画像の編集および複製の許可をコントロールする権限が与えられる。したがって、情報処理装置１０の制御部１０１は、ユーザＡまたはユーザＢによる操作に応じてのみ、サムネイル画像Ｐｃ２の表示位置を移動する。そのため、ユーザＡおよびユーザＢ以外のユーザは、サムネイル画像Ｐｃ２の表示位置を移動することはできず、サムネイル画像Ｐｃ２に対応する写真画像の編集および複製の許可をコントロールすることはできない。
【００６５】
なお、上述した情報のアップロードを行う際に、ユーザＡの端末装置２０が他のユーザを認識する方法については、以下の３つの方法のいずれを用いてもよい。
（第１の認識方法）
ユーザＡの端末装置２０は情報表示装置１０に対して他のユーザの存在を問い合わせる。情報表示装置１０は、現在無線接続している端末装置２０とそのユーザを抽出し、その結果をユーザＡの端末装置２０に返す。このとき、ユーザＡと面識があるかどうかは問わずに、情報表示装置１０と無線接続している端末装置２０のユーザであれば、無条件にユーザＡの端末装置２０に提示する。
【００６６】
（第２の認識方法）
ユーザＡの端末装置２０は情報表示装置１０に対して他のユーザの存在を問い合わせる。情報表示装置１０は、現在無線接続している端末装置２０とそのユーザを抽出し、その中からユーザＡと関係の深いユーザのみを抽出して、その結果をユーザＡの端末装置２０に返す。このとき「関係の深い」ことの判断については、今までに端末装置２０同士でメールや通話などのやり取りをしていた事実や、情報表示装置１０を介して情報のやり取りを行っていた事実などに基づいて行う。
【００６７】
（第３の認識方法）
ユーザＡの端末装置２０は、直接、周辺に存在する端末装置２０のユーザをチェックする。このとき、ユーザＡの端末装置２０において、予め他のユーザＢ、ユーザＣ、etc…を設定しておくことができ、周辺に存在する端末装置２０のユーザのうち、予め設定されていたユーザを、他のユーザとしてユーザＡに提示する。
【００６８】
このように他のユーザを認識する方法としてはいくつかの方法が考えられるが、情報表示装置１０の使用目的や設置場所によって最適な方法を選ぶことでユーザビリティが向上する。たとえば、情報表示装置１０が見知らぬ人同士の交流をサポートする事を目的としていれば上記の第１の認識方法が向いている。また、情報表示装置１０を学校や家庭内などの掲示板として使用するのであれば、上記の第２または第３の認識方法が向いていると言える。
【００６９】
（コントロール権限のリクエスト）
また、上述した動作では、情報の提供者であるユーザＡの操作によって、ユーザＢに、情報の編集および複製の許可をコントロールする権限が付与されるようになっていた。しかしながら、逆に、ユーザＢからユーザＡに対して上記権限のリクエストを行うことも可能である。以下、ユーザＢからユーザＡに対して上記権限のリクエストを行う動作について説明する。
【００７０】
まず、ユーザＢは、端末装置２０に対してアップロード用アプリの起動を指示する。すると、ユーザＢの端末装置２０は、アップロード用アプリを起動して、図７に示した場合と同様に端末表示部２０２の表示画面にアップロード用ウィンドウＷａおよび画像選択ウィンドウＷｐを表示する。図７において、共有画面Ｄｐには、ユーザＡによりアップロードされた写真画像に対応するサムネイル画像Ｐｃ２がテンポラリエリアＡｔ内に表示されている
【００７１】
ユーザＢは、サムネイル画像Ｐｃ２に対応する写真画像の編集および複製の許可をコントロールする権限を得たい場合には、端末表示部２０２上でサムネイル画像Ｐｃ２をダブルタップする。すると、ユーザＢの端末装置２０は、ユーザＢの端末装置２０は、サムネイル画像Ｐｃ２に対応する写真画像の編集および複製の許可をコントロールする権限のリクエストを、無線送受信部２１０を介して情報表示装置１０に送信する。
【００７２】
情報表示装置１０は、ユーザＢの端末装置２０から送信された上記リクエストを、無線送受信部１１０を介してユーザＡの端末装置２０に転送する。すると、ユーザＡの端末装置２０は、アップロード用アプリを起動して、図１３に示すように、アップロード用ウィンドウＷａおよび画像選択ウィンドウＷｐを端末表示部２０２に表示する。このときアップロード用ウィンドウＷａ上には、情報表示装置１０の表示画面を共有する共有画面Ｄｐが表示されると共に、ユーザＢから上記リクエストが行われたことを通知するリクエストダイアログＲｂが表示される。
【００７３】
ユーザＡは、ユーザＢに対して、ユーザＡがアップロードした写真画像の編集および複製の許可をコントロールする権限を与える場合には、リクエストダイアログＲｂをタップする。すると、ユーザＢの端末装置２０は、図１２に示した場合と同様の表示画面を端末表示部２０２に表示する。また、ユーザＡの端末装置２０は、図１１に示した場合と同様の表示画面を端末表示部２０２に表示する。
【００７４】
これ以降、ユーザＡだけでなく、ユーザＢも、サムネイル画像Ｐｃ２の表示位置を移動する操作が可能となる。したがって、ユーザＢは、自身の端末装置２０において、テンポラリエリアＡｔ内に表示されているサムネイル画像Ｐｃ２をテンポラリエリアＡｔ外へ移動することができる。また、ユーザＢは、一旦テンポラリエリアＡｔ外へ移動させたサムネイル画像Ｐｃ２を再度テンポラリエリアＡｔ内に戻すこともできる。
【００７５】
このように、情報表示装置１０の制御部１０１は、端末装置２０からアップロードされた情報について、情報の提供者であるユーザ、または、そのユーザによって設定されたユーザによる操作に応じてのみ、当該アップロードされた情報に関する表示情報の表示位置を移動する。これにより、当該アップロードされた情報の編集および複製の許可のコントロールの権限を適切なユーザに与えることができる。
【００７６】
−第３の実施の形態−
上述した第２の実施の形態では、情報の提供者であるユーザＡと、ユーザＡによって設定されたユーザＢとが、アップロード情報（たとえば写真画像）に関する表示情報（たとえばサムネイル画像）の表示位置の移動を単独で行える例について説明した。これに対して、第３の実施の形態では、所定の複数のユーザによる協調操作で、アップロード情報（たとえば写真画像）に関する表示情報（たとえばサムネイル画像）の表示位置の移動を行えるようになっている。
【００７７】
なお、所定の複数のユーザによる協調操作を行う方法としては、所定の複数のユーザが同時に所定の操作（たとえばドラッグアンドドロップ操作）を行う第１の方法を用いてもよいし、たとえば同時でなくても所定の時間以内に、所定の複数のユーザの全てが所定の操作を行う第２の方法を用いてもよい。これら第１および第２の方法は、所定の複数のユーザが同時に情報表示装置１０の前に居合わせる場合だけでなく、同時に情報表示装置１０の前に居合わせていない場合にも用いることができる。たとえば、ユーザＡが情報表示装置１０の前に居て情報をアップロードしようとしているが、ユーザＢは情報表示装置１０から離れた別の場所にいるケースも考えられる。この場合でも、ユーザＢの端末装置２０がインターネットに経由するなどして遠隔地にある情報表示装置１０に接続可能であれば、上記の協調操作を行うことが可能である。
【００７８】
（第１の例）
第１の例は、情報の提供者であるユーザと、当該ユーザに関連付けられた他のユーザとによる協調操作で、アップロード情報に関する表示情報の表示位置の移動を行えるようになっている例である。これは、たとえばペアレンタルコントロールの必要なケースで有効である。例えば、子供が写真画像を情報表示装置１０にアップロードした場合に、当該子供とその保護者との協調操作によってのみ、その写真画像に対応するサムネイル画像の表示位置の移動を可能とする。したがって、保護者の同意を得られないと、アップロードした画像の複製および編集の許可のコントロールを行うことができないので、画像のプライバシーを守ることができる。もちろん、子供と保護者という社会的関係に限らず、様々なニーズに対応することができると考えられる。
【００７９】
（第２の例）
第２の例は、アップロード情報に関連付けられた複数のユーザによる協調操作で、アップロード情報に関する表示情報の表示位置の移動を行えるようになっている例である。これは、たとえばアップロード情報が複数のユーザによって共同で作成された情報であるケースに有効である。例えば、ユーザＡとユーザＢとユーザＣとが共同で所定の画像を作成した場合に、ユーザＣがその画像を情報表示装置１０にアップロードしたとする。アップロードした画像に対応するサムネイル画像は、ユーザＣのみでは表示位置を移動できず、ユーザＡとユーザＢとユーザＣとの協調操作によってのみ、表示位置の移動を可能とする。したがって、アップロードした画像の共同作成者全ての同意を得られないと、アップロードした画像の複製および編集の許可のコントロールを行うことができない。
【００８０】
このように、情報表示装置１０の制御部１０１は、端末装置２０からアップロードされた情報について、所定の複数のユーザによる協調操作に応じてのみ、当該アップロードされた情報に関する表示情報の表示位置を移動する。これにより、当該表示情報のテンポラリエリアＡｔ内への移動、またはフリーエリアＡｆ内への移動を、所定の複数のユーザの同意によって行えるので、当該アップロードされた情報の編集および複製の許可のコントロールを適切に行うことができる。
【００８１】
次のような変形も本発明の範囲内であり、変形例の一つ、もしくは複数を上述の実施の形態と組み合わせることも可能である。
−変形例１−
上述した実施の形態では、情報表示装置１０は、アップロード情報に関する表示情報の表示位置がテンポラリエリアＡｔ内であるかテンポラリエリアＡｔ外であるか否かに応じて、アップロード情報の編集および複製を許可するか禁止するかを制御する例について説明した。しかしながら、テンポラリエリアＡｔによって権限を設定する処理は、編集および複製処理に限らなくてよい。たとえば、情報表示装置１０は、表示情報がテンポラリエリアＡｔ内にある場合は、アップロード情報に対する追記を許可し、テンポラリエリアＡｔ外にある場合は、アップロード情報の内容の変更を許可するようにしてもよい。
【００８２】
−変形例２−
上述した実施の形態では、情報表示装置１０は、アップロード情報に関する表示情報の表示位置がテンポラリエリアＡｔ内であるかテンポラリエリアＡｔ外であるか否かに応じて、アップロード情報の編集および複製を許可するか禁止するかを制御する例について説明した。しかしながら、アップロード情報に対する処理の権限を設定する方法について、上述した実施の形態の方法に限らなくてよい。
【００８３】
たとえば、情報表示装置１０の制御部１０１は、テンポラリエリアＡｔと表示情報との間の距離に応じて、アップロード情報に対する処理の権限を設定するようにしてもよい。この場合、制御部１０１は、テンポラリエリアＡｔと表示情報との距離が遠いほど、アップロード情報に対して許可する処理の数を増やすようにしてもよい。具体的には、制御部１０１は、表示情報がテンポラリエリアＡｔ内にある場合には閲覧のみを許可し、複製および編集を禁止する。また、制御部１０１は、表示情報がテンポラリエリアＡｔ外であって、テンポラリエリアＡｔとの距離が所定の距離より短い場合には、閲覧および複製を許可し、編集を禁止する。さらに、制御部１０１は、表示情報がテンポラリエリアＡｔ外であって、テンポラリエリアＡｔとの距離が所定の距離より長い場合には、閲覧、複製および編集を許可する。
【００８４】
−変形例３−
上述した実施の形態では、ドラッグアンドドロップ操作によって表示情報をテンポラリエリアＡｔ内からテンポラリエリアＡｔ外へ移動する例について説明したが、操作方法はこれに限らなくてもよい。たとえば、フリック操作によって表示情報をテンポラリエリアＡｔ内からテンポラリエリアＡｔ外へ移動するようにしてもよい。また、この場合、１回のフリック操作ではなく、２回のフリック操作が行われると、表示情報をテンポラリエリアＡｔ外へ移動するようにしてもよい。
【００８５】
たとえば、図１４（ａ）に示すように、サムネイル画像Ｐｃ２がテンポラリエリアＡｔ内にある状態において、端末装置２０の共有画面Ｄｐ上で、サムネイル画像Ｐｃ２をテンポラリエリアＡｔ外へ移動するフリック操作（たとえば図１４（ａ）において右斜め上方向に指を弾くフリック操作）が行われたとする。この場合、端末装置２０の制御部２０１は、フリック操作に応じてサムネイル画像Ｐｃ２をテンポラリエリアＡｔの境界まで移動させた後、サムネイル画像Ｐｃ２の内側へ向かう方向に移動させ、テンポラリエリアＡｔ内にとどめる。すなわち、端末装置２０の制御部２０１は、サムネイル画像Ｐｃ２をテンポラリエリアＡｔの境界で跳ね返される（バウンスする）ように移動させる。これは、ユーザが意図せずに（ミスで）フリック操作してしまった場合にサムネイル画像Ｐｃ２がテンポラリエリアＡｔ外へ出るのを防止したり、ユーザに本当にサムネイル画像Ｐｃ２をテンポラリエリアＡｔ外へ出してもよいかどうかを確認させたりするためである。
【００８６】
そして、いったんサムネイル画像Ｐｃ２がテンポラリエリアＡｔの境界で跳ね返された後、所定時間以内に再度サムネイル画像Ｐｃ２をテンポラリエリアＡｔ外へ移動するフリック操作が行われると、端末装置２０の制御部２０１は、図１４（ｂ）に示すように、フリック操作に応じてサムネイル画像Ｐｃ２をテンポラリエリアＡｔ外へ移動する。
【００８７】
−変形例４−
上述した実施の形態では、アップロード情報の送信元の端末装置２０において、アップロード情報に関する表示情報の表示位置を移動して、アップロード情報の編集および複製の許可をコントロールできる例について説明した。しかしながら、端末装置２０の制御部２０１は、端末装置２０に設定されたセキュリティレベルが所定レベルより高い場合には、アップロード情報の送信元であっても、アップロード情報の編集および複製の許可をコントロールできないようにしてもよい。この場合、端末装置２０の制御部２０１は、端末装置２０に設定されたセキュリティレベルが所定レベルより低い場合には、アップロード情報の編集および複製の許可をコントロールできるようにする。なお、端末装置２０に設定されるセキュリティレベルは、ユーザが端末装置２０へパスワードを入力することで変更できるようにしてもよいし、社員証など特定のＩＤカードを端末装置２０内の読取装置で読み取ることで変更できるようにしてもよい。
【００８８】
−変形例５−
情報表示装置１０に情報をアップロードする際に、ユーザがアップロード情報（たとえば写真画像）に関する表示情報（サムネイル画像）を長押しした後、表示情報をアップロード用ウィンドウＷａへドラッグした場合には、アップロード情報を公開する（すなわち閲覧を許可する）ユーザを特定するように制御してもよい。この場合、情報表示装置１０は、表示情報がテンポラリエリアＡｔ内にある場合は、特定のユーザのみ閲覧を許可し、テンポラリエリアＡｔ外にある場合は、全てのユーザに閲覧を許可する。情報表示装置１０は、テンポラリエリアＡｔ内の表示情報についてはディスプレイ１０２に表示せず、特定のユーザの端末装置２０にのみテンポラリエリアＡｔ内の表示情報を送信し、特定のユーザの端末装置２０上で閲覧できるようにする。
【００８９】
上記特定のユーザを決定する方法は、アップロード情報の提供者であるユーザが直接ユーザを指定してもよいし、アップロード情報に付加されたメタデータに基づいて上記特定のユーザを決定してもよい。アップロード情報に付加されたメタデータとは、たとえば、アップロード情報が写真画像である場合には、写真の撮影日や撮影場所、被写体などの情報である。情報表示装置１０の制御部１０１は、たとえば、アップロードされた写真画像と、撮影日および撮影場所が同じである写真画像が記憶された端末装置２０のユーザを上記特定のユーザとして決定する。これにより、たとえば同じ日に同じ場所に行ったグループのユーザのみに写真画像を公開することなどができる。
【００９０】
−変形例６−
上述した実施の形態では、アップロード情報に対する所定処理の権限を設定するために、情報表示装置１０の表示画面にテンポラリエリアＡｔおよびフリーエリアＡｆの２つの領域を設定する例について説明した。しかしながら、情報表示装置１０の表示画面において３つ以上の領域を設定し、これらの領域と表示情報との位置関係に基づいて、表示情報に対応するアップロード情報に対する所定処理の権限を設定するようにしてもよい。
【００９１】
−変形例７−
上述した実施の形態では、サムネイル画像Ｐｃ２に対応する写真画像を情報表示装置１０にアップロードした際、アップロード用ウィンドウＷａ内でサムネイル画像Ｐｃ２がドロップされた箇所によらず、サムネイル画像Ｐｃ２はまずテンポラリエリアＡｔ内に表示される例について説明した。しかしながら、アップロード用ウィンドウＷａ内でサムネイル画像Ｐｃ２がドロップされた箇所に応じて、サムネイル画像Ｐｃ２をテンポラリエリアＡｔ内またはフリーエリアＡｆ内に表示させるようにしてもよい。
【００９２】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００９３】
１…情報表示システム、１０…情報表示装置、２０…端末装置、１０１、２０１…制御部、１０２…ディスプレイ、１０４、２０４…タッチセンサ、１０７、２０７…メモリ、１１０、２１０…無線送受信部、２０２…端末表示部
【図１】
2015161989.tif 000003
【図２】
2015161989.tif 000004
【図３】
2015161989.tif 000005
【図４】
2015161989.tif 000006
【図５】
2015161989.tif 000007
【図６】
2015161989.tif 000008
【図７】
2015161989.tif 000009
【図８】
2015161989.tif 000010
【図９】
2015161989.tif 000011
【図１０】
2015161989.tif 000012
【図１１】
2015161989.tif 000013
【図１２】
2015161989.tif 000014
【図１３】
2015161989.tif 000015
【図１４】
2015161989.tif 000016